(57)【要約】【課題】漏れが少ないように受信可能な放送サービスを取得する電子機器、プログラム及びシステムを提供する。【解決手段】実施形態によれば、電子機器は、入力手段と、第１の取得手段と、第２の取得手段と、変換手段とを備える。前記入力手段は、地理上の位置に関連する情報を入力する。前記第１の取得手段は、前記地理上の位置に関連する情報に基づいて第１の位置の情報を取得する。前記第２の取得手段は、前記第１の位置の近隣の領域から１以上の第２の位置の情報を取得する。前記変換手段は、前記第１の位置の情報及び前記第２の位置の情報を前記第１の位置及び前記第２の位置で受信可能な放送サービスの情報に変換する。【選択図】図３
2014045403.tif 000002
【特許請求の範囲】
【請求項１】
地理上の位置に関連する情報を入力する入力手段と、
前記地理上の位置に関連する情報に基づいて第１の位置の情報を取得する第１の取得手段と、
前記第１の位置の近隣の領域から１以上の第２の位置の情報を取得する第２の取得手段と、
前記第１の位置の情報及び前記第２の位置の情報を、前記第１の位置及び前記第２の位置で受信可能な放送サービスの情報に変換する変換手段と、
を備える電子機器。
【請求項２】
前記変換手段は、各領域に割り当てられたコードと地理上の位置情報とが紐付けられた情報を参照して、前記第１の位置の情報及び前記第２の位置の情報を、前記第１の位置の情報及び前記第２の位置の情報に対応するコードに変換し、
各領域に割り当てられたコードと各領域において受信可能な放送サービスとが紐付けられた情報を参照して、前記第１の位置の情報及び前記第２の位置の情報に対応するコードを、受信可能な放送サービスの情報に変換する、
請求項１記載の電子機器。
【請求項３】
第１の位置の情報及び２の位置の情報は、少なくとも緯度及び経度で規定される、請求項１記載の電子機器。
【請求項４】
前記第１の位置及び前記第２の位置で受信可能な放送サービスの数が第１閾値以上か否かを判断する第１の判断手段と、を備える請求項１記載の電子機器。
【請求項５】
前記第１の判断手段が前記第１の位置及び前記第２の位置で受信可能な放送サービスの数が前記第１閾値以上であると判断した場合、前記第１の位置及び前記第２の位置で受信可能な放送サービスのリストを生成する生成手段と、を備える請求項４記載の電子機器。
【請求項６】
前記第１の判断手段が前記第１の位置及び前記第２の位置で受信可能な放送サービスの数が前記第１閾値以上でないと判断した場合、前記第１の位置の近隣の領域の広さが第２閾値以上か否かを判断する第２の判断手段と、を備える、請求項４記載の電子機器。
【請求項７】
前記第２の判断手段が前記第１の位置の近隣の領域の広さが前記第２閾値以上でないと判断した場合、前記第２の取得手段は、前記第１の位置の近隣の領域を拡大して第２の位置の情報を取得する、請求項４記載の電子機器。
【請求項８】
放送波から得られるチャンネル情報を取得する第３の取得手段と、
前記第１の位置及び前記第２の位置で受信可能な放送サービスから前記チャンネル情報に対応しない放送サービスを削除する変更手段と、を備える請求項１記載の電子機器。
【請求項９】
コンピュータに、
地理上の位置に関連する情報を入力する機能と、
前記地理上の位置に関連する情報に基づいて第１の位置の情報を取得する機能と、
前記第１の位置の近隣の領域から１以上の第２の位置の情報を取得する機能と、
前記第１の位置の情報及び前記第２の位置の情報を、前記第１の位置及び前記第２の位置で受信可能な放送サービスの情報に変換する機能と、
を実現させるためのプログラム。
【請求項１０】
外部機器から地理上の位置に関連する情報を受信する受信手段と、
前記地理上の位置に関連する情報に基づいて第１の位置の情報を取得する第１の取得手段と、
前記第１の位置の近隣の領域から１以上の第２の位置の情報を取得する第２の取得手段と、
前記第１の位置の情報及び前記第２の位置の情報を、前記第１の位置及び前記第２の位置で受信可能な放送サービスの情報に変換する変換手段と、
を備えるシステム。
【発明の詳細な説明】
【技術分野】
【０００１】
本実施形態は、電子機器、プログラム及びシステムに関する。
【背景技術】
【０００２】
電子機器で受信可能な放送サービスは、国、地域などの領域毎に異なる。ユーザは、領域毎に割り当てられたＺＩＰ(Zone Improvement Plan)コードまたは地域情報（地方、州、県、市など）を電子機器で入力することで、受信可能な放送サービスを知ることができる。つまり、電子機器は、ＺＩＰコードまたは地域情報と放送サービスが紐付けられて管理されているデータベースを参照して、入力されたＺＩＰコードまたは地域情報に対応する放送サービスの情報を取得する。
【先行技術文献】
【特許文献】
【０００３】
【特許文献１】特開２００３−１５８７３０号公報
【発明の概要】
【発明が解決しようとする課題】
【０００４】
しかしながら、近隣の国や地域を跨ぐような領域に電子機器が存在する場合、この領域のＺＩＰコードまたは地域情報に対応するものであって、上記データベースで管理されている放送サービス以外にも、国や地域を跨いで電子機器が受信可能な放送サービスは、実際には存在することがある。したがって、電子機器は、実際には受信可能な放送サービスであっても、上記データベースで管理されていない放送サービスが存在することをユーザに提示できない。
【０００５】
そのため、ユーザは、ある領域に存在する電子機器で必要な放送サービスを知るためには、電子機器が現在存在する領域のＺＩＰコードまたは地域情報だけでなく、近隣のＺＩＰコードまたは地域情報も一つ一つ入力して、受信可能な放送サービスを確認しなければならない。
【０００６】
さらに、ＺＩＰコードは、地理上の領域に割り当てられているだけでなく、特殊な用途にも割り当てられている。ＺＩＰコードは、特殊な用途として、例えば、会社、学校などの組織に割り当てられている。本明細書では、このようなＺＩＰコードを特殊なＺＩＰコードというものとする。電子機器は、特殊なＺＩＰコードが入力されたとしても、上記データベースを参照しても、受信可能な放送サービスをユーザに提示できない。
【０００７】
本発明の目的は、漏れが少ないように受信可能な放送サービスを取得する電子機器、プログラム及びシステムを提供することである。
【課題を解決するための手段】
【０００８】
実施形態によれば、電子機器は、入力手段と、第１の取得手段と、第２の取得手段と、変換手段とを備える。前記入力手段は、地理上の位置に関連する情報を入力する。前記第１の取得手段は、前記地理上の位置に関連する情報に基づいて第１の位置の情報を取得する。前記第２の取得手段は、前記第１の位置の近隣の領域から１以上の第２の位置の情報を取得する。前記変換手段は、前記第１の位置の情報及び前記第２の位置の情報を前記第１の位置及び前記第２の位置で受信可能な放送サービスの情報に変換する。
【図面の簡単な説明】
【０００９】
【図１】実施形態に係る要素を示すブロック図。
【図２】実施形態に係る放送サービスの情報を取得するための処理を示すフローチャート。
【図３】実施形態に係る近隣の領域の概念図。
【発明を実施するための形態】
【００１０】
以下、本実施形態について図面を参照して説明する。図１は、実施形態に係る第１の電子機器１０、第２の電子機器２０、サーバシステム５０の一例となる概略を示すブロック図である。
【００１１】
第１の電子機器１０の構成について説明する。第１の電子機器１０は、ネットワーク１００を介してサーバシステム５０と接続可能な電子機器である。第１の電子機器１０は、チューナを備えない電子機器である。第１の電子機器１０は、例えば、スマートフォン、タブレットなどの携帯端末であるが、これらに限定されるものではない。  
第１の電子機器１０は、制御部１０１、記憶部１０２、通信部１０３、入力部１０４、映像処理部１０５、ディスプレイ１０６、音声処理部１０７、スピーカ１０８、マイク１０９を備える。
【００１２】
制御部１０１は、第１の電子機器１０内の各要素の動作を制御する。制御部１０１は、各手段（機能）を備える。制御部１０１は、例えば、検出手段１０１ａ、第１の取得手段１０１ｂ、第２の取得手段１０１ｃ、変換手段１０１ｄ、第１の判断手段１０１ｅ、第２の判断手段１０１ｆ、生成手段１０１ｇを備える。  
記憶部１０２は、各種情報を書き込み、読み出し、書き換え等を可能なメモリを含む。記憶部１０２は、制御部１０１が実行する機能を実現するためのプログラムを格納するメモリを含む。記憶部１０２は、制御部１０１に作業エリアを提供するメモリも含む。  
通信部１０３は、ネットワーク１００を介してサーバシステム５０と通信するためのインターフェースである。通信部１０３は、情報をサーバシステム５０から受信する受信手段１０３１、情報をサーバシステム５０に送信する送信手段１０３２を備える。
【００１３】
入力部１０４は、ユーザ操作を入力するためのインターフェース（入力手段）である。入力部１０４は、例えば、ボタン式のキー、ディスプレイ１０６と一体的に設けられたタッチセンサなどである。入力部１０４は、ユーザ操作に基づいて生成した操作信号を制御部１０１に供給する。入力部１０４におけるユーザ操作は、制御部１０１によって第１の電子機器１０内の各要素に反映される。
【００１４】
映像処理部１０５は、各種コンテンツまたはアプリケーションなどに基づく映像信号をディスプレイ１０６で表示可能なフォーマットの映像信号に変換する。映像処理部１０５は、ディスプレイ１０６に映像信号を出力する。  
ディスプレイ１０６は、映像信号に基づく映像を表示する。  
音声処理部１０７は、各種コンテンツまたはアプリケーションなどに基づく音声信号をスピーカ１０８で再生可能なフォーマットの音声信号に変換する。音声処理部１０７は、スピーカ１０８に音声信号を出力する。また、音声処理部１０７は、マイク１０９で集音された音声をデジタルの音声信号に変換し、制御部１０１に出力する。  
スピーカ１０８は、音声信号に基づく音声を出力する。  
マイク１０９は、第１の電子機器１０の外部の音、例えば通話中のユーザの音声を集音する。
【００１５】
第２の電子機器２０の構成について説明する。第２の電子機器２０は、ネットワーク１００を介してサーバシステム５０と接続可能な電子機器である。第２の電子機器２０は、チューナを備える電子機器である。第２の電子機器２０は、例えば、デジタルテレビジョン、ＨＤＤレコーダなどであるが、これらに限定されるものではない。第２の電子機器２０は、チューナを備えるスマートフォン、タブレットなどの携帯端末であってもよい。第２の電子機器２０は、チューナ等がセットトップボックスとして別要素となっていてもよい。  
第２の電子機器２０は、制御部２０１、記憶部２０２、通信部２０３、入力部２０４、受光部２０５、チューナ２０６、信号処理部２０７、映像処理部２０８、ディスプレイ２０９、音声処理部２１０、スピーカ２１１を備える。
【００１６】
制御部２０１は、第２の電子機器２０内の各要素の動作を制御する。制御部２０１は、後述するように各手段（機能）を備える。制御部２０１は、例えば、検出手段２０１ａ、第１の取得手段２０１ｂ、第２の取得手段２０１ｃ、変換手段２０１ｄ、第１の判断手段２０１ｅ、第２の判断手段２０１ｆ、生成手段２０１ｇ、第３の取得手段２０１ｈ、変更手段２０１ｉを備える。検出手段２０１ａ、第１の取得手段２０１ｂ、第２の取得手段２０１ｃ、変換手段２０１ｄ、第１の判断手段２０１ｅ、第２の判断手段２０１ｆ、生成手段２０１ｇは、検出手段１０１ａ、第１の取得手段１０１ｂ、第２の取得手段１０１ｃ、変換手段１０１ｄ、第１の判断手段１０１ｅ、第２の判断手段１０１ｆ、生成手段１０１ｇと同様に作用してもよい。  
記憶部２０２は、各種情報を書き込み、読み出し、書き換え等を可能なメモリを含む。記憶部２０２は、制御部２０１が実行する機能を実現するためのプログラムを格納するメモリを含む。記憶部２０２は、制御部２０１に作業エリアを提供するメモリも含む。  
通信部２０３は、ネットワーク１００を介してサーバシステム５０と通信するためのインターフェースである。通信部２０３は、情報をサーバシステム５０から受信する受信手段２０３１、情報をサーバシステム５０に送信する送信手段２０３２を備える。
【００１７】
入力部２０４は、ユーザ操作を入力するためのインターフェース（入力手段）である。入力部２０４は、例えば、ボタン式のキーなどである。入力部２０４は、ユーザ操作に基づいて生成した操作信号を制御部２０１に供給する。入力部２０４におけるユーザ操作は、制御部２０１によって第２の電子機器２０内の各要素に反映される。  
受光部２０５は、リモートコントローラ３０によるユーザ操作の信号が入力される入力手段である。受光部２０５は、ユーザ操作に基づいて生成した操作信号を制御部２０１に供給する。受光部２０５におけるユーザ操作は、制御部２０１によって第２の電子機器２０内の各要素に反映される。
【００１８】
チューナ２０６は、アンテナ４０で受信した放送信号を、入力端子２１２を介して受信する。チューナ２０６は、後述するチャンネル情報を、放送波を介して受信する。チューナ２０６は、選局した放送信号を信号処理部２０７に出力する。  
信号処理部２０７は、放送信号をデジタルの映像信号及び音声信号に復調する。さらに、信号処理モジュール２０７は、映像信号及び音声信号に対して、所定のデジタル信号処理を施し、映像処理部２０８、音声処理部２１０に出力する。  
映像処理部２０８は、各種コンテンツまたはアプリケーションなどに基づく映像信号をディスプレイ２０９で表示可能なフォーマットの映像信号に変換する。映像処理部２０８は、ディスプレイ２０９に映像信号を出力する。  
ディスプレイ２０９は、映像信号に基づく映像を表示する。  
音声処理部２１０は、各種コンテンツまたはアプリケーションなどに基づく音声信号をスピーカ２１１で再生可能なフォーマットの音声信号に変換する。音声処理部２１０は、スピーカ２１１に音声信号を出力する。  
スピーカ２１１は、音声信号に基づく音声を出力する。
【００１９】
サーバシステム５０の構成について説明する。サーバシステム５０は、ネットワーク１００を介して電子機器と接続可能である。  
サーバシステム５０は、制御部５０１、記憶部５０２、通信部５０３、第１のデータベース５０４、第２のデータベース５０５、第３のデータベース５０６、第４のデータベース５０７を備える。
【００２０】
制御部５０１は、サーバシステム５０内の各要素の動作を制御する。制御部５０１は、後述するように各手段（機能）を備える。制御部５０１は、検出手段５０１ａ、第１の取得手段５０１ｂ、第２の取得手段５０１ｃ、変換手段５０１ｄ、第１の判断手段５０１ｅ、第２の判断手段５０１ｆ、生成手段５０１ｇ、第３の取得手段５０１ｈ、変更手段５０１ｉを備える。検出手段５０１ａ、第１の取得手段５０１ｂ、第２の取得手段５０１ｃ、変換手段５０１ｄ、第１の判断手段５０１ｅ、第２の判断手段５０１ｆ、生成手段５０１ｇ、第３の取得手段５０１ｈ、変更手段５０１ｉは、検出手段１０１ａ、第１の取得手段１０１ｂ、第２の取得手段１０１ｃ、変換手段１０１ｄ、第１の判断手段１０１ｅ、第２の判断手段１０１ｆ、生成手段１０１ｇ、第３の取得手段２０１ｈ、変更手段２０１ｉと同様に作用してもよい。  
記憶部５０２は、各種情報を書き込み、読み出し、書き換え等を可能なメモリを含む。記憶部５０２は、制御部５０１が実行する機能を実現するためのプログラムを格納するメモリを含む。記憶部５０２は、制御部５０１に作業エリアを提供するメモリも含む。  
通信部５０３は、ネットワーク１００を介して電子機器と通信するためのインターフェースである。通信部５０３は、情報を電子機器から受信する受信手段５０３１、情報を電子機器に送信する送信手段５０３２を備える。
【００２１】
第１のデータベース５０４は、各領域に割り当てられたＺＩＰコードと受信可能な放送サービスの情報とを紐付けた情報を管理する。なお、放送サービスとは、放送波を介して配信されるサービスに限らず、ケーブルテレビのサービス局からの配信されるサービスを含んでいてもよい。第１のデータベース５０４で管理されている受信可能な放送サービスの情報は、ＺＩＰコードが割り当てられた各領域において電子機器が受信可能な放送サービスである。なお、第１のデータベース５０４は、国コードを付加したＺＩＰコードと、放送サービスを紐付けた情報を管理するようにしてもよい。これは、国毎に提供されるサービスが異なるためである。なお、本実施形態では、国コードは任意であるが、少なくともＺＩＰコードを含むコードを（国、ＺＩＰコード）と表記するものとする。  
第２のデータベース５０５は、各領域に割り当てられた（国、ＺＩＰコード）と位置情報とを紐付けた情報を管理する。本実施形態では、位置情報とは、例えば、少なくとも緯度及び経度で規定される地理上の位置を含む情報である。なお、本明細書では、位置情報は、場合によっては位置の情報と記載されることもあるが、同じ意味である。  
第３のデータベース５０６は、特殊なＺＩＰコードと住所とを紐付けた情報を管理する。第３のデータベース５０６で管理されている住所は、例えば、郵便事業者が持っている配送先の住所であるが、限定されない。  
第４のデータベース５０７は、第３のデータベース５０６で管理されている住所と位置情報とを紐付けた情報を管理する。
【００２２】
なお、サーバシステム５０は、図１に示すような１つの装置の態様に限定されない。サーバシステム５０は、サーバシステム５０を構成するとして図１に描かれている要素、制御部５０１の各手段（機能）のうちの少なくとも１つが別の要素として分離されていてもよい。
【００２３】
次に、本実施形態に係る電子機器で受信可能な放送サービスの情報を取得する処理を図２に示すフローチャートを用いて説明する。ここでは、第１の電子機器１０を例にして説明するが第２の電子機器２０は同様であるので、その説明は省略する。  
はじめに、制御部１０１（検出手段１０１ａ）は、位置情報に関連する情報の入力を検出する（Ｂｌｏｃｋ１００１）。Ｂｌｏｃｋ１００１では、入力部１０４は、ユーザ操作に基づいて、位置情報に関連する情報が入力される。入力部１０４は、例えば、ユーザ操作に基づいて、位置情報に関連する情報として、ユーザによる（国、ＺＩＰコード）が入力されてもよい。この場合、制御部１０１（検出手段１０１ａ）は、ユーザによる（国、ＺＩＰコード）の入力を検出する。
【００２４】
制御部１０１（第１の取得手段１０１ｂ）は、第２のデータベース５０５で管理されている情報を参照して、位置情報に関連する情報に基づいて、少なくとも緯度及び経度で規定される第１の位置情報を取得する（Ｂｌｏｃｋ１００２）。Ｂｌｏｃｋ１００２では、制御部１０１は、例えば、（国、ＺＩＰコード）を位置情報に変換する。  
制御部１０１（第２の取得手段１０１ｃ）は、第１の位置を中心座標に設定し、第１の位置の近隣（近傍）の領域を設定し、第１の位置の近隣の領域から１以上の座標（少なくとも緯度及び経度で規定される第２の位置情報）を抽出して取得する（Ｂｌｏｃｋ１００３）。近隣の領域とは、第１の位置を含む領域であればどのような形状の領域であっても良い。Ｂｌｏｃｋ１００３では、制御部１０１は、例えば、図３のような中心座標の近隣の領域である半径ｎｋｍの領域を設定し、ｍｋｍ単位で格子状に区切った領域それぞれの座標を抽出する。なお、制御部１０１は、他の形状に区切って座標を抽出してもよく、座標の抽出手法は限定されない。
【００２５】
制御部１０１（変換手段１０１ｄ）は、第２のデータベース５０５で管理されている情報を参照して、各座標を（国、ＺＩＰコード）に変換する（Ｂｌｏｃｋ１００４）。Ｂｌｏｃｋ１００４では、制御部１０１は、第１の位置情報及び第２の位置情報を、第１の位置情報及び第２の位置情報に対応する（国、ＺＩＰコード）に変換する。  
制御部１０１は、Ｂｌｏｃｋ１００４で変換された（国、ＺＩＰコード）のうち重複する（国、ＺＩＰコード）を削除する（Ｂｌｏｃｋ１００５）。  
制御部１０１（変換手段１０１ｄ）は、第１のデータベース５０４で管理されている情報を参照して、第１の位置情報及び前記第２の位置情報に対応する（国、ＺＩＰコード）を第１の電子機器１０が受信可能な放送サービスの情報に変換する（Ｂｌｏｃｋ１００６）。つまり、Ｂｌｏｃｋ１００４、Ｂｌｏｃｋ１００６の処理によれば、制御部１０１は、第１のデータベース５０４及び第２のデータベース５０５で管理されている情報を参照して、第１の位置情報及び第２の位置情報を、第１の位置及び第２の位置で受信可能な放送サービスに変換することができる。なお、制御部１０１は、Ｂｌｏｃｋ１００６で取得された放送サービスのうち重複する放送サービスを削除した放送サービスの情報を記憶部１０２に保存してもよい。
【００２６】
制御部１０１（第１の判断手段１０１ｅ）は、Ｂｌｏｃｋ１００６で取得された第１の位置及び第２の位置で受信可能な放送サービスの数が第１閾値以上か否かを判断する（Ｂｌｏｃｋ１００７）。  
制御部１０１が放送サービスの数が第１閾値以上であると判断した場合（Ｂｌｏｃｋ１００７、Ｙｅｓ）、制御部１０１（生成手段１０１ｇ）は、Ｂｌｏｃｋ１００６で取得された放送サービスのリストを生成する。その後、制御部１０１は、放送サービスのリストをディスプレイ１０６に表示するように制御する。なお、ユーザに提示するためのリストに表示される放送サービスの順番については、限定されない。  
制御部１０１が放送サービスの数が第１閾値以上でないと判断した場合（Ｂｌｏｃｋ１００７、Ｎｏ）、制御部１０１（第２の判断手段１０１ｆ）は、Ｂｌｏｃｋ１００３で設定された第１の位置の近隣の領域の広さが第２閾値以上か否か（つまり、第１の位置からある距離の範囲まで広げたか否か）を判断する（Ｂｌｏｃｋ１００８）。制御部１０１が第１の位置の近隣の領域の広さが第２閾値以上であると判断した場合（Ｂｌｏｃｋ１００８、Ｙｅｓ）、制御部１０１は、Ｂｌｏｃｋ１００６で取得された放送サービスのリストを生成する。  
制御部１０１が第１の位置の近隣の領域広さが第２閾値以上でないと判断した場合（Ｂｌｏｃｋ１００８、Ｙｅｓ）、制御部１０１は、Ｂｌｏｃｋ１００３に戻って、Ｂｌｏｃｋ１００３で設定した第１の位置の近隣の領域を拡大して第２の位置情報を取得する。つまり、Ｂｌｏｃｋ１００３では、制御部１０１は、第１の位置から徐々に領域を広げ、第１の位置から遠い位置にある第２の位置情報を段階的に取得する。
【００２７】
なお、Ｂｌｏｃｋ１００１では、制御部１０１は、（国、ＺＩＰコード）以外の位置情報に関連する情報の入力を検出してもよい。例えば、制御部１０１は、ＧＰＳ、ＷｉＦｉに基づく少なくとも緯度及び経度で規定される位置情報の入力、地図アプリ上でのタップによる少なくとも緯度及び経度で規定される位置情報の入力を検出してもよい。この場合は、Ｂｌｏｃｋ１００２では、制御部１０１は、第２のデータベース５０５で管理されている情報を参照することなく、ユーザ入力から直接に第１の位置情報を取得してもよい。  
なお、Ｂｌｏｃｋ１００１では、入力部１０４は、例えば、ユーザ操作に基づいて、位置情報に関連する情報として、特殊なＺＩＰコードが入力されてもよい。この場合、制御部１０１は、特殊なＺＩＰコードの入力を位置情報に関連する情報の入力として検出する。この場合は、Ｂｌｏｃｋ１００２では、制御部１０１は、第３のデータベース５０６で管理されている情報を参照して、特殊なＺＩＰコードを住所に変換し、第４のデータベース５０６で管理されている情報を参照して、住所を第１の位置情報に変換することで、第１の位置情報を取得してもよい。
【００２８】
なお、上記では、第１の電子機器１０または第２の電子機器２０での処理によって放送サービスを取得する例について説明したが、サーバシステム５０の処理によって放送サービスを取得するようにしてもよい。この場合、Ｂｌｏｃｋ１００１では、例えば、制御部５０１は、外部機器である第１の電子機器１０または第２の電子機器２０から、第１の電子機器１０または第２の電子機器２０で入力された位置情報に関連する情報を受信手段１０３１で受信することで、位置情報に関連する情報の入力を検出できる。Ｂｌｏｃｋ１００２〜Ｂｌｏｃｋ１００８では、制御部５０１は、上記説明したように制御部１０１の処理と同様に処理できる。なお、制御部５０１は、Ｂｌｏｃｋ１００７で放送サービスの数が第１閾値以上であると判断した場合（Ｂｌｏｃｋ１００７、Ｙｅｓ）またはＢｌｏｃｋ１００８で第１の位置の近隣の領域の広さが第２閾値以上であると判断した場合（Ｂｌｏｃｋ１００８、Ｙｅｓ）、送信手段１０３２を介して放送サービスのリストを第１の電子機器１０または第２の電子機器２０に送り返すことができる。
【００２９】
本実施形態によれば、ユーザは、位置情報に関連する情報を一度入力すれば、必要な放送サービスの情報を入手できる。さらに、ユーザは、近隣の国や地域を跨いで提供されている放送サービスも手間をかけずに入手できる。したがって、ユーザの選択肢に放送サービスの漏れが少なくなり、ユーザビリティが上がる。
【００３０】
他の実施形態として、第２の電子機器２０では、制御部２０１（第３の取得手段２０１ｈ）が放送波から得られる受信可能な放送サービスに関連するチャンネル情報を取得することができれば、制御部２０１（変更手段２０１ｉ）は、図２に示すフローチャートの処理で得られた第１の位置及び第２の位置で受信可能な放送サービス情報から、チャンネル情報に対応しない放送サービスの情報を削除するようにしてもよい。なお、サーバシステム５０が図２に示すフローチャートに従って処理する場合、制御部２０１は、チャンネル情報を送信手段３０３２を介してサーバシステム５０に送信してもよい。  
この実施形態によれば、ユーザは、電子機器が存在する位置でより確実に受信可能な放送サービスの情報を入手できる。
【００３１】
以下、チャンネル情報について説明する。  
はじめに、欧州規格のチャンネル情報について説明する。
【００３２】
制御部２０１は、欧州規格のチャンネル情報を取得する場合、DVB(Digital Video Broadcasting)規格のTriplet(original network ID, transport stream ID, service ID)及び、DVBのネットワークタイプを識別する情報(DVB-T,...)、国を識別するコード(GB, DE, ...)をチャンネル情報として取得する。なお、制御部２０１は、専門チャンネルなどで別規格を用いる場合には、その体系用に定義したIDを用いればよい。
【００３３】
それぞれの値は、例えば、original network ID:数値、transport stream ID:数値、service ID:数値、DVBのネットワークタイプを識別する情報:VB-C, DVB-S, DVB-T, DVB-C2, DVB-S2, DVB-T2、国を識別するコード: GB, DE, CH, ...  (ISO 3166-1 alpha-2に基づく)である。チャンネル情報の表現は、例えば、(channel1,1,1026,10050,DVB-S,GB)、(channel2,2,2045,6301,DVB-T2,CH)、(channel3,9018,4169,4168,DVB-S2,ES)である。
【００３４】
次に、日本のチャンネル情報について説明する。  
制御部２０１は、日本のチャンネル情報を取得する場合、ISDB(Integrated Services Digital Broadcasting)規格の(network ID, transport stream  ID, service ID)及び放送タイプを識別するコード、国を識別するコードをチャンネル情報として取得する。なお、制御部２０１は、専門チャンネルなどで別規格を用いる場合には、その体系用に定義したIDを用いればよい。
【００３５】
それぞれの値は、例えば、network ID:数値、transport stream ID:数値、service ID:数値、放送タイプを識別するコード:ISDB-T, ISDB-C, ISDB-S, e2skyperfectv,  etc、国を識別するコード:JP(固定)である。チャンネル情報の表現は、例えば、(channel1,7d71,7d71,50,ISDB-T,JP)、(channel2,0004,10,6301,ISDB-B,JP)、(channel3,0006,110,4168,e2skyperfectv,JP)である。
【００３６】
なお、日本では、地上デジタル放送(ISDB-T)の場合、放送局ごとに放送波が送出されているため、network idとtransport stream id は一致する。transport stream id自体は、日本の場合はなくてもチャンネルとして成立するが、規格上存在するIDであり、今後のために敢えて入れてある。
【００３７】
なお、制御部２０１は、リモコンの番号(1-12)に対してどのチャンネルが割り当てられているのかといった情報をチャンネル情報として取得してもよい。その場合、制御部２０１は、それぞれのチャンネル情報に、1(ボタン1用)と言った情報を追加する。
【００３８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３９】
１０…第１の電子機器、２０…第２の電子機器、５０…サーバシステム、１００…ネットワーク、１０１…制御部、１０２…記憶部、１０３…通信部、１０４…入力部、１０６…ディスプレイ、２０１…制御部、２０２…記憶部、２０３…通信部、２０６…チューナ、２０９…ディスプレイ、５０１…制御部、５０２…記憶部、５０３…通信部、５０４…第１のデータベース、５０５…第２のデータベース、５０６…第３のデータベース、５０７…第４のデータベース。
【図１】
2014045403.tif 000003
【図２】
2014045403.tif 000004
【図３】
2014045403.tif 000005